(57)【要約】【課題】多くの配線を容易にかつ納まりきれいに接続することができ、しかも、現場での回路変更や増設も容易に行うことができる配線コネクターを提供する。【解決手段】立方体からなるコネクター本体２と、導体が結合原点部３ａ，４ａ，５ａから３軸６方向に延びる３つの導体ユニット３，４，５とが備えられ、これら導体ユニット３，４，５がコネクター本体２内に互いに干渉することなく設けられ、かつ、各導体ユニット３，４，５の６つの導体端部がそれぞれ立方体コネクター本体２の各面部に配線と接続できるよう備えられている。【選択図】      図１
2004158310.tif 000002
【特許請求の範囲】
【請求項１】
６面体をしたコネクター本体と、導体が結合原点部から３軸６方向に延びる２つ以上の導体ユニットとが備えられ、
これら導体ユニットがコネクター本体内に互いに干渉することなく設けられ、かつ、各導体ユニットの６つの導体端部がそれぞれ６面体コネクター本体の各面部に配線と接続できるよう備えられていることを特徴とする配線コネクター。
【発明の詳細な説明】
【０００１】
【発明の属する技術分野】
本発明は、屋内配線などに用いられる配線コネクターに関する。
【０００２】
【従来の技術及び課題】
従来より、配線コネクターは提供されているが、接続する配線の方向が１方向若しくは２方向に限られていて、配線をうまく納めるのが難しかったり、現場での回路変更が容易でないなどの問題があった。また、工場で加工されるユニットケーブルや回路構成の固定されたコネクターも提供されているが、いずれも回路が固定であり、現場での回路変更や増設が困難であるという問題があった。
【０００３】
本発明は、上記のような問題点に鑑み、多くの配線を容易にかつ納まりきれいに接続することができ、しかも、現場での回路変更や増設も容易に行うことができる配線コネクターを提供することを課題とする。
【０００４】
【課題を解決するための手段】
上記の課題は、６面体をしたコネクター本体と、導体が結合原点部から３軸６方向に延びる２つ以上の導体ユニットとが備えられ、
これら導体ユニットがコネクター本体内に互いに干渉することなく設けられ、かつ、各導体ユニットの６つの導体端部がそれぞれ６面体コネクター本体の各面部に配線と接続できるよう備えられていることを特徴とする配線コネクターによって解決される。
【０００５】
この配線コネクターでは、コネクター本体として６面体を採用し、その各面で配線を接続できるようになされて、最大６方向からの配線接続が可能であり、そのため、多くの配線をコネクターに接続するような場合でも、配線を混み合わせることなく接続することができて、配線を容易に接続することができると共に、配線をきれいな納まりで接続することができる。
【０００６】
しかも、六面体コネクター本体の各面には、異なる導体ユニットの導体端部が備えられているので、一つの機器を同じ面に備えられた二つの導体端部に接続することが可能であるだけでなく、一つの機器を異なる面に備えられた二つの導体端部に接続することも可能であり、更に、本発明の配線コネクターを複数組み合わせた場合には、一つの機器を異なる配線コネクターの導体端部に接続することなども可能であり、配線やコネクターを多様なかたちで接続することができ、現場での配線の接続のみならず、回路変更や増設も容易に行っていくことができる。
【０００７】
更に、本発明の配線コネクターは、導体が結合原点部から３軸６方向に延びる導体ユニットを単位とし、この導体ユニットを複数組み込んで構成されるものであるから、構造が明確にしてかつ簡素であり、製作も容易である。
【０００８】
【発明の実施の形態】
次に、本発明の実施形態を図面に基づいて説明する。
【０００９】
図１に示す実施形態の配線コネクター１は、図１（ロ−１）に示すようにコネクター本体２が６面体である立方体をしており、このコネクター本体２内に図１（ロ−１）（ロ−２）（ロ−３）に示す３つの導体ユニット３，４，５が備えられている。
【００１０】
各導体ユニット３，４，５はそれぞれ、導体が結合原点部３ａ，４ａ，５ａから３軸６方向に延びた構造をしている。そして、これらの導体ユニット３，４，５は、結合原点部３ａ，４ａ，５ａを立方体コネクター本体２の対向する頂角を結ぶ直線上に所定の間隔おきに位置するように配置することによってコネクター本体２内に互いに干渉しないように設けられている。そして、各導体ユニット３，４，５において、結合原点部３ａ，４ａ，５ａからの６つの導体部分は、立方体コネクター本体２の６面のそれぞれに延ばされ、各面部においてその対角線上に各導体ユニット３，４，５の導体端部が所定の間隔おきに位置し、各面部においてそこにそれぞれ備えられている３つの導体端部に配線を接続することができるようになされている。なお、図面では、コネクター本体２が透明に描かれているが、不透明なものからなっていてもよい。
【００１１】
図２は、上記の配線コネクター１の使用例を示すもので、１つの配線コネクター１に、電源６からの配線と、２つの照明７，７からの各配線と、１つのスイッチ８からの配線と、２つのコンセント９，９からの各配線を接続し、スイッチ８で照明７，７を点灯・消灯できるようにすると共に、電気機器をコンセント９，９に接続して使用することができるようになされたものである。照明７等の機器からの配線は、配線コネクター１に対し６方向から接続することができ、各機器からの配線を混み合わせることなく配線コネクター１に接続することができて、機器からの配線を容易に接続することができると共に、配線をきれいな納まりで接続することができる。
【００１２】
そして、本実施形態では、電源６からの配線が配線コネクター１の６面のうちの１面に備えられた導体端部に接続され、２つの照明７，７のうちの一方からの配線が残る５面のうちの１面に備えられた導体端部に接続され、もう一方からの配線が残る４面のうちの１面に備えられた導体端部に接続され、スイッチ８からの配線が残る３面のうちの１面に備えられた導体端部に接続され、２つのコンセント９，９のうちの一方からの配線が残る２面のうちの１面に備えられた導体端部に接続され、もう一方からの配線が残る１面に備えられた導体端部に接続されている。
【００１３】
図３は、配線コネクターに接続しようとする機器の数が多い場合の配線コネクター１，１の増設例で、２つの配線コネクター１，１をケーブル１０で接続することで、それに対応することができる。なお、Ｅはアースである。
【００１４】
図４に示す使用例は、配線コネクター１を増設して２つ使用し、２つの室１２，１２のそれぞれに１つづつ備えられた照明７、スイッチ８、コンセント９をこれら配線コネクター１，１に接続したもので、各室１２において、その室に備えられた照明７をその室のスイッチ８でオン・オフすることができるようになされていると共に、それぞれの室１２でその室の備えられているコンセント９に電気機器を接続して使用することができるようになされている。
【００１５】
そして、各室１２，１２において照明７，７からの配線、スイッチ８，８からの配線、コンセント９，９からの配線はそれぞれ、同じ配線コネクター１の同じ面に備えられた導体端部に接続したり、同じ配線コネクター１の異なる面に備えられた導体端部に接続したり、異なる配線コネクターの導体端部に接続したりしている。このように、図２に示す使用例も含めて、本発明の配線コネクター１によれば、配線の込み具合や納まりに応じて多彩な接続を行っていくことができて、配線を容易にかつ納まり良く配線コネクター１に接続することができる。
【００１６】
図５に示す使用例は、照明７の備えられた室１２に２つの出入り口１３，１３が備えられ、各出入り口１３，１３にそれぞれ３路スイッチ１１，１１が備えられ、２つの配線コネクター１は直接接続されておらず、照明７と３路スイッチ１１，１１からの配線の接続を通じて接続され、一方の３路スイッチ１１で点灯させた照明７をもう一方の３路スイッチ１１で消灯することなどができるようになされている。このように、複数の配線コネクター１を使用する場合に、図３や図４に示すように配線コネクター１同士を配線で直接接続してもよいし、図５に示すように、照明７等の機器から配線の接続によって配線コネクター１同士を接続するようにすることもできる。
【００１７】
以上に、本発明の実施形態を示したが、本発明はこれに限られるものではなく、発明思想を逸脱しない範囲で各種の変更が可能である。例えば、上記の実施形態では、コネクター本体２が立方体からなる場合を示しているが、直方体など、その他の６面体からなっていてもよい。また、導体ユニットの結合原点部からの６つの導体部分は、直交する３軸における６方向でなくてもよく、要は交差する３軸における６方向であればよいし、各方向に延びる導体部分は直線になっていなくてもよく、曲線状になっていてもよい。また、複数の導体ユニット３，４，５はコネクター本体２内に干渉することなく備えられていればよく、上記の実施形態で示すような特定の配列形式によらなくてもよい。更に、導体ユニットは、１つの配線コネクターに２つ備えられていてもよいし、４つ以上備えられていてもよい。
【００１８】
【発明の効果】
本発明の配線コネクターは、以上のとおりのものであるから、多くの配線を容易にかつ納まりきれいに接続することができ、しかも、現場での回路変更や増設も容易に行うことができる。
【図面の簡単な説明】
【図１】実施形態の配線コネクターを示すもので、図（イ）は全体斜視図、図（ロ−１）はコネクター本体の斜視図、図（ロ−２）は導体ユニット３の斜視図、図（ロ−３）は導体ユニット４の斜視図、図（ロ−４）は導体ユニット５の斜視図である。
【図２】実施形態の配線コネクターの使用例を示す斜視図である。
【図３】同配線コネクターの増設例を示す斜視図である。
【図４】同配線コネクターの他の使用例を示す斜視図である。
【図５】同配線コネクターの更に他の使用例を示す斜視図である。
【符号の説明】
１…配線コネクター
２…コネクター本体
３，４，５…導体ユニット
３ａ，４ａ，５ａ…結合原点部
【図１】
2004158310.tif 000003
【図２】
2004158310.tif 000004
【図３】
2004158310.tif 000005
【図４】
2004158310.tif 000006
【図５】
2004158310.tif 000007